【手続補正書】
【提出日】平成17年6月16日(2005.6.16)
【手続補正１】
【補正対象書類名】明細書
【補正対象項目名】特許請求の範囲
【補正方法】変更
【補正の内容】
【特許請求の範囲】
【請求項１】  式（Ｉ）
【化１】
2001518464.tif 000001
［式中、
Ｘは、ハロゲン、アルキル、アルケニル、アルキニル、アルコキシ、アルケニルオキシ、アルキルチオ、アルキルスルフィニル、アルキルスルホニル、ハロゲノアルキル、ハロゲノアルケニル、ハロゲノアルコキシ、ハロゲノアルケニルオキシ、ニトロ、シアノを表すか；又はフェニル、フェノキシ、フェニルチオ、ベンジルオキシもしくはベンジルチオを表し、これらはそれぞれ場合により置換されていてもよく、
Ｙは、水素、ハロゲン、アルキル、アルケニル、アルキニル、アルコキシ、アルケニルオキシ、アルキルチオ、アルキルスルフィニル、アルキルスルホニル、ハロゲノアルキル、ハロゲノアルケニル、ハロゲノアルコキシ、ハロゲノアルケニルオキシ、ニトロ又はシアノを表し、
Ｚは、ハロゲン、アルキル、アルケニル、アルキニル、ハロゲノアルキル、ハロゲノアルケニル、アルコキシ、アルケニルオキシ、ハロゲノアルコキシ、ハロゲノアルケニルオキシ、ニトロ又はシアノを表し、
ｎは、０、１、２又は３を表し、
Ｈｅｔは、基
【化２】
2001518464.tif 000002
の中の１つを表し、ここで、
Ｇは、水素（ａ）を表すか、又は基
【化３】
2001518464.tif 000003
の中の１つを表し、ここで、
Ｅは、金属イオン等価体又はアンモニウムイオンを表し、
Ｌは、酸素又は硫黄を表し、
Ｍは、酸素又は硫黄を表し、
Ｒ１は、アルキル、アルケニル、アルコキシアルキル、アルキルチオアルキルもしくはポリアルコキシアルキルを表し、これらのそれぞれは場合によりハロゲンで置換されていてもよいか；場合によりハロゲン、アルキルもしくはアルコキシで置換されていてもよく且つ１個以上のヘテロ原子で遮断されていてもよいシクロアルキルを表すか；又はフェニル、フェニルアルキル、ヘタリール、フェノキシアルキルもしくはヘタリールオキシアルキルを表し、これらはそれぞれ場合により置換されていてもよく
Ｒ２は、アルキル、アルケニル、アルコキシアルキルもしくはポリアルコキシアルキルを表し、これらはそれぞれ場合によりハロゲンで置換されていてもよいか；又はシクロアルキル、フェニルもしくはベンジルを表し、これらはそれぞれ場合により置換されていてもよく
Ｒ３、Ｒ４及びＲ５はそれぞれ、相互に独立して、アルキル、アルコキシ、アルキルアミノ、ジアルキルアミノ、アルキルチオ、アルケニルチオもしくはシクロアルキルチオを表し、これらはそれぞれ場合によりハロゲンで置換されていてもよいか；又はフェニル、ベンジル、フェノキシもしくはフェニルチオを表し、これらはそれぞれ場合により置換されていてもよく
Ｒ６及びＲ７は、相互に独立して、水素を表すか；アルキル、シクロアルキル、アルケニル、アルコキシもしくはアルコキシアルキルを表し、これらはそれぞれハロゲンで置換されていてもよいか；場合により置換されていてもよいフェニルを表すか；場合により置換されていてもよいベンジルを表すか；又はＲ６及びＲ７が結合しているＮ原子と一緒になって酸素又は硫黄を含有する環を表し、
Ｑは、
【化４】
2001518464.tif 000004
を表し、
Ｒ９は、水素を表すか；アルキル、シクロアルキル、フェニル、ベンジルもしくはヘタリールを表し、これらはそれぞれ場合により置換されていてもよいか；又はＣＯ−Ｒ１´；ＣＯ２−Ｒ２´；ＳＯ２Ｒ１´；ＣＯＮＨ２；ＣＯＮＨＲ１１もしくは
【化５】
2001518464.tif 000005
を表し、
Ｒ１０は水素又はアルキルを表し、
Ｒ１１はアルキル又はアルケニルを表し、
Ｒ１２はアルキル又はアルケニルを表し、
ｍは０、１又は２を表し、
Ｒ１´は、Ｒ１とは独立してＲ１について上に記載した意味を有し、そして
Ｒ２´は、Ｒ２とは独立してＲ２について上に記載した意味を有する］
の化合物。
【請求項２】
（Ａ）式（Ｉ−１−ａ）
【化１８】
2001518464.tif 000006
［式中、Ｑ、Ｘ、Ｙ、Ｚ、ｍ及びｎはそれぞれ請求項１において定義したと同じである］
の化合物を得るために、
式（ＩＩ）
【化１９】
2001518464.tif 000007
［式中、Ｑ、Ｘ、Ｙ、Ｚ、ｍ及びｎはそれぞれ上で定義したと同じであり、そして
Ｒ８ はアルキルを表す］
の化合物を希釈剤の存在下及び塩基の存在下で分子内縮合させ、
（Ｂ）式（Ｉ−２−ａ）
【化２０】
2001518464.tif 000008
［式中、Ｑ、Ｘ、Ｙ、Ｚ、ｍ及びｎはそれぞれ上で定義したと同じである］
の化合物を得るために、
式（ＩＩＩ）
【化２１】
2001518464.tif 000009
［式中、Ｑ、Ｘ、Ｙ、Ｚ、ｍ、ｎ及びＲ８はそれぞれ上で定義したと同じである］
の化合物を希釈剤の存在下及び塩基の存在下で分子内縮合させ、
（Ｃ）式（Ｉ−３−ａ）
【化２２】
2001518464.tif 000010
［式中、Ｑ、Ｘ、Ｙ、Ｚ、ｍ及びｎはそれぞれ上で定義したと同じである］
の化合物を得るために、
式（ＩＶ）
【化２３】
2001518464.tif 000011
［式中、Ｑ、Ｘ、Ｙ、Ｚ、ｍ、ｎ及びＲ８はそれぞれ上で定義したと同じであり、そして
Ｗは、水素、ハロゲン、アルキルを表す］
の化合物を希釈剤の存在下及び酸の存在下で分子内環化させ、その後、生じる式（Ｉ−１−ａ）、（Ｉ−２−ａ）及び（Ｉ−３−ａ）の化合物をそれぞれ、場合により
（Ｄα）式（Ｖ）
【化２４】    
2001518464.tif 000012
［式中、Ｒ１は請求項１において定義したと同じであり、そして
Ｈａｌはハロゲンを表す］
の塩化アシルと反応させるか、又は
（β）式（ＶＩ）
Ｒ１−ＣＯ−Ｏ−ＣＯ−Ｒ１      （ＶＩ）
［式中、Ｒ１は上で定義したと同じである］
のカルボン酸無水物と適宜希釈剤の存在下及び適宜酸結合剤の存在下で反応させ；又は
（Ｅ）式（ＶＩＩ）
Ｒ２−Ｍ−ＣＯ−Ｃｌ      （ＶＩＩ）
［式中、Ｒ２及びＭのそれぞれは請求項１において定義したと同じである］
のクロロギ酸エステル又はクロロギ酸チオールエステルと適宜希釈剤の存在下及び適宜酸結合剤の存在下で反応させ；又は
（Ｆ）式（ＶＩＩＩ）
【化２５】
2001518464.tif 000013
［式中、Ｍ及びＲ２はそれぞれ上で定義したと同じである］
のクロロモノチオギ酸エステル又はクロロジチオギ酸エステルと適宜希釈剤の存在下及び適宜酸結合剤の存在下で反応させ；又は
（Ｇ）式（ＩＸ）
Ｒ３−ＳＯ２−Ｃｌ      （ＩＸ）
［式中、Ｒ３は請求項１において定義したと同じである］
の塩化スルホニルと適宜希釈剤の存在下及び適宜酸結合剤の存在下で反応させ；又は
（Ｈ）式（Ｘ）
【化２６】
2001518464.tif 000014
［式中、Ｌ、Ｒ４及びＲ５はそれぞれ請求項１において定義したと同じであり、そして
Ｈａｌはハロゲンを表す］
のリン化合物と適宜希釈剤の存在下及び適宜酸結合剤の存在下で反応させ；又は
（Ｉ）式（ＸＩ）又は（ＸＩＩ）
【化２７】
2001518464.tif 000015
［式中、Ｍｅは、一価又は二価の金属を表し、
ｔは１又は２を表し、そして
Ｒ１３、Ｒ１４、Ｒ１５のそれぞれは、相互に独立して、水素又はアルキルを表す］
の金属化合物又はアミンと適宜希釈剤の存在下で反応させ；又は
（Ｊα）式（ＸＩＩＩ）
Ｒ６−Ｎ＝Ｃ＝Ｌ      （ＸＩＩＩ）
［式中、Ｒ６及びＬはそれぞれ請求項１において定義したと同じである］
のイソシアナート又はイソチオシアナートと適宜希釈剤の存在下及び適宜触媒の存在下で反応させるか、又は
（β）式（ＸＩＶ）
【化２８】
2001518464.tif 000016
［式中、Ｌ、Ｒ６及びＲ７はそれぞれ請求項１において定義したと同じである］
の塩化カルバモイル又は塩化チオカルバモイルと適宜希釈剤の存在下及び適宜酸結合剤の存在下で反応させる
ことを特徴とする請求項１に記載の式（Ｉ）の化合物の製造方法。
【請求項３】
式（ＩＩ）
【化２９】
2001518464.tif 000017
［式中、Ｑ、Ｘ、Ｙ、Ｚ、ｍ及びｎはそれぞれ上で定義したと同じであり、そして
Ｒ８はアルキルを表す］
の化合物。
【請求項４】
式（ＸＶＩＩ）
【化３０】
2001518464.tif 000018
［式中、Ｑ、ｍ、Ｘ、Ｙ、Ｚ及びｎはそれぞれ請求項１において定義したと同じである］
の化合物。
【請求項５】
式（ＩＩＩ）
【化３１】
2001518464.tif 000019
［式中、Ｑ、Ｘ、Ｙ、Ｚ、ｍ及びｎはそれぞれ上で定義したと同じであり、そして
Ｒ８はアルキルを表す］
の化合物。
【請求項６】
式（ＩＶ）
【化３２】
2001518464.tif 000020
［式中、Ｑ、Ｗ、Ｘ、Ｙ、Ｚ、ｍ及びｎはそれぞれ上で定義したと同じであり、そして
Ｒ８はアルキルを表す］
の化合物。
【請求項７】
請求項１に記載の式（Ｉ）の化合物を含有することを特徴とする有害生物防除剤又は除草剤。
【請求項８】
請求項１に記載の式（Ｉ）の化合物を、有害生物及び雑草のそれぞれに、及び／又はそれらの生息地に作用させることを特徴とする有害生物及び雑草の防除方法。
【請求項９】
請求項１に記載の式（Ｉ）の化合物を、増量剤及び／又は界面活性剤と混合することを特徴とする有害生物防除剤及び除草剤の製造方法。